(57)【要約】    【課題】  光源から原稿に光を照射して画像読取りを行う画像読取装置において、外光の影響を受けずに画像読取手段の出力調整を行うことができる手段を提供する。    【解決手段】  複合機１は、原稿押さえカバー６の閉姿勢を検知している場合に、キャリッジ４１を第１の基準部材５３の対向位置に移動させて、第１の基準部材５３に対してＣＩＳユニット４０の出力調整を行い、原稿押さえカバー６の開姿勢を検知している場合に、キャリッジ４１を第２の基準部材５４の対向位置に移動させて、第２の基準部材５４に対してＣＩＳユニット４０の出力調整を行うものである。【選択図】  図９
2006311175.tif 000002
【特許請求の範囲】
【請求項１】
原稿を載置するための透過部材を有する原稿載置台と、
上記透過部材を覆うようにして原稿載置台に開閉自在に設けられた原稿押さえ部材と、
光源から原稿に光を照射し、その反射光に基づいて該原稿に記録された画像を読み取る画像読取手段と、
上記透過部材の原稿載置面と反対側に配設され、上記画像読取手段を搭載して透過部材に沿って所定方向へ往復移動する走査手段と、
上記画像読取手段の画像読取り及び上記走査手段の往復移動を制御する制御手段と、
上記原稿押さえ部材の開閉を検知する開閉検知手段と、
上記透過部材が上記原稿載置台の外面として露出された領域に配設され、上記画像読取手段の明度基準となる第１の基準部材と、
上記透過部材が上記原稿載置台の外面として露出された領域以外に配設され、上記画像読取手段の明度基準となる第２の基準部材と、を具備してなる画像読取装置であって、
上記制御手段は、上記開閉検知手段が上記原稿押さえ部材の閉姿勢を検知している場合に、上記走査手段を上記第１の基準部材の対向位置に移動させて、該第１の基準部材に対して上記画像読取手段の出力調整を行い、上記開閉検知手段が上記原稿押さえ部材の開姿勢を検知している場合に、上記走査手段を上記第２の基準部材の対向位置に移動させて、該第２の基準部材に対して上記画像読取手段の出力調整を行うものである画像読取装置。
【請求項２】
上記第１の基準部材は、上記透過部材と、該透過部材が上記原稿載置台の外面として露出された領域に配設されて該領域を区画する区画部材との間に介設されたものである請求項１に記載の画像読取装置。
【請求項３】
上記区画部材は、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである請求項２に記載の画像読取装置。
【請求項４】
上記原稿押さえ部材に、給紙トレイに装填された原稿を上記搬送原稿読取領域へ搬送して排紙トレイへ排出する自動原稿搬送機構が設けられ、
上記区画部材は、上記原稿押さえ部材側の面に、読取前の原稿を搬送原稿読取領域へ案内するガイド面が形成されたものである請求項３に記載の画像読取装置。
【請求項５】
上記第２の基準部材は、上記原稿載置台の内面側に配設されたものである請求項１から４のいずれかに記載の画像読取装置。
【請求項６】
上記第２の基準部材は、上記走査手段の移動範囲の端位置に配設されたものである請求項１から５のいずれかに記載の画像読取装置。
【請求項７】
上記第２の基準部材は、上記静止原稿読取領域側の移動範囲の端位置に配設されたものである請求項６に記載の画像読取装置。
【請求項８】
上記画像読取手段は、上記第１の基準部材付近を待機位置とするものである請求項１から７のいずれかに記載の画像読取装置。
【請求項９】
上記制御手段は、上記第１の基準部材又は第２の基準部材に対する画像読取手段の出力調整として、光源の光量調整、白レベルデータの取得、又は黒レベルデータの取得の少なくともいずれか１つを行うものである請求項１から８のいずれかに記載の画像読取装置。
【請求項１０】
上記画像読取手段は、密着型イメージセンサである請求項１から９のいずれかに記載の画像読取装置。
【請求項１１】
上記開閉検知手段は、原稿載置台に進入する外光の有無を検知することにより、上記原稿押さえ部材の開閉を検知するものである請求項１から１０のいずれかに記載の画像読取装置。
【請求項１２】
上記開閉検知手段は、上記画像読取手段が上記第１の基準部材に対して光量調整を行って得た光量調整値が所定の閾値未満である場合に、原稿押さえ部材が開姿勢と検知するものである請求項１１に記載の画像読取装置。
【請求項１３】
上記開閉検知手段は、上記画像読取手段が光源を消灯して上記第１の基準部材を読み取った際の読取値が所定の閾値以上である場合に、原稿押さえ部材が開姿勢と検知するものである請求項１１に記載の画像読取装置。
【請求項１４】
上記第１の基準部材は、上記走査手段の移動方向に白色部分と黒色部分とが並設されたものであり、
上記開閉検知手段は、上記画像読取手段が光源を消灯して上記第１の基準部材の白色部分と黒色部分とをそれぞれ読み取った際の読取値の差が所定の閾値以上である場合に、原稿押さえ部材が開姿勢と検知するものである請求項１１に記載の画像読取装置。
【発明の詳細な説明】
【技術分野】
【０００１】
本発明は、原稿載置台の透過部材を通じて、原稿に光を照射して画像読取りを行う画像読取装置に関するものであり、特に、画像読取手段の出力を基準部材に対して調整する画像読取装置に関するものである。
【背景技術】
【０００２】
従来より、複写機やスキャナ、これら機能を併有する多機能装置に搭載される画像読取装置として、フラットベッドスキャナや、給紙トレイから搬送路を経て排紙トレイへ原稿を搬送するＡＤＦ（Auto Document Feeder）と呼ばれる自動原稿搬送機構に、ＣＣＤ（Charge Coupled Device）やＣＩＳ（Contact Image Sensor）等の画像読取手段を所定位置に配設して、搬送中の原稿の画像を読み取るものが知られている。
【０００３】
例えば、図１１に示すような従来の画像読取装置９０では、原稿押さえカバー９１にＡＤＦ９２が備えられており、該ＡＤＦ９２により、給紙トレイの原稿がプラテンガラス９３のＡＤＦ読取領域９３Ａへ搬送され、原稿載置台９４内に配設されたイメージスキャナ（不図示）により、ＡＤＦ読取領域９３Ａ上を通過する原稿の画像を読み取ることができる。また、画像読取装置９０は、フラットベッドスキャナとして用いることもでき、プラテンガラス９３の静止原稿読取領域９３Ｂに載置した原稿を、原稿押さえカバー９１を閉じて押圧して固定し、原稿載置台９４内に配設されたイメージスキャナにより、該原稿の画像を読み取ることができる。
【０００４】
上記イメージセンサとして用いられるＣＣＤやＣＩＳは、プラテンガラス９３へ向かって光源から光を出射し、該光がプラテンガラス９３を通過して原稿の表面で反射され、該反射光を受光素子で電気信号に変換することにより、原稿の画像を光学的に読み取るものである。このようなイメージセンサの光源や受光素子には、光量のばらつきや配光ムラ、感度ムラがあるので、白色の基準部材に対して光源の光量調整を行った後に、該基準部材を読み取って白レベルデータ及び黒レベルデータを取得し、これら白レベルデータ及び黒レベルデータに基づいて読取データを補正する所謂シェーディング補正が行われる。例えば、上記画像読取装置９０では、プラテンガラス９３をＡＤＦ読取領域９３Ａと静止原稿読取領域９３Ｂとに区画する区画部材９５の裏面側に基準部材が配設されており、原稿の画像読取りに先立って、該基準部材に対して光量調整及び基準データの取得が行われる。
【０００５】
ところで、近年、イメージセンサの感度が向上するに伴い照度の低い光源を用いることが可能となっており、例えばＣＩＳではＬＥＤ（Light Emitting Diode）光源や、ＬＥＤと線状導光体を用いたＬＩＤＥ光源が採用されている。このような光源の低照度化により、基準部材への外光の影響が大きくなるという問題がある。外光とは、上記画像読取装置９０において、プラテンガラス９３の静止原稿読取領域９３Ｂに原稿を載置し、図に示すように原稿押さえカバー９１を開いた状態でイメージスキャナにより画像読取りを行う場合に、ＡＤＦ読取領域９３Ａ等から原稿載置台９４内に進入する屋内や屋外の光である。
【０００６】
このような外光は、原稿押さえカバー９１を閉じればプラテンガラス９３全域が覆われるので、原稿載置台９４内に進入することはないが、例えば、厚みのあるブック原稿の画像読取りを行う場合には、原稿押さえカバー９１を完全に閉じることができず、外光が原稿載置台９４内へ進入することがある。また、サイズの大きい原稿を読み取るような場合には、読取位置を確認するために敢えて原稿押さえカバー９１を閉じずに画像読取りを行う場合があり、そのような場合にも外光が原稿載置台９４内に進入する。
【０００７】
仮に、外光に対して光源の照度が十分に大きい場合には、基準部材からの反射光も十分に大きくなるので、該反射光に若干の外光が加わっても、その影響は読取画像の顕著な劣化として現れない。しかし、光源の照度が小さくなれば反射光も小さくなるので、該反射光に加わる外光の比率が大きくなる。例えば、光量調整において外光が影響すれば、イメージセンサの光源は、外光の分だけ小さな光量に調整される。したがって、該光源から原稿に照射される光量も小さくなり、読取画像が黒っぽくなるという問題が生じる。特に、静止原稿読取領域９３Ｂに載置された原稿に対してイメージセンサが走査される場合に、ＡＤＦ読取領域９３Ａから離れるほど外光の影響が小さくなるので、画像の劣化が顕著である。このような問題に対し、例えば、イメージセンサの両側に遮光板を設けて、イメージセンサの受光素子に外光が進入することを防止する手段が提案されている（特許文献１参照）。
【０００８】
【特許文献１】特開２００３−１３４３０７号公報
【発明の開示】
【発明が解決しようとする課題】
【０００９】
イメージセンサに遮蔽板を設けることにより、例えばイメージセンサの側方から進入する外光を遮断することができるとしても、プラテンガラス９３の厚み内に進入する外光を遮断することはできない。特に、装置の小型化の要請から、上記区画部材９５に十分な幅を設定することができない場合や、プラテンガラス９３を１枚のガラス板で構成した場合等では、基準部材に対するイメージセンサの出力調整の際に外光が影響するという問題がある。
【００１０】
本発明は、かかる問題に鑑みてなされたものであり、光源から原稿に光を照射して画像読取りを行う画像読取装置において、外光の影響を受けずに画像読取手段の出力調整を行うことができる手段を提供することを目的とする。
【課題を解決するための手段】
【００１１】
本発明は、原稿を載置するための透過部材を有する原稿載置台と、上記透過部材を覆うようにして原稿載置台に開閉自在に設けられた原稿押さえ部材と、原稿に光を照射し、その反射光に基づいて該原稿に記録された画像を読み取る画像読取手段と、上記透過部材の原稿載置面と反対側に配設され、上記画像読取手段を搭載して透過部材に沿って所定方向へ往復移動する走査手段と、上記画像読取手段の画像読取り及び上記走査手段の往復移動を制御する制御手段と、上記原稿押さえ部材の開閉を検知する開閉検知手段と、上記透過部材が上記原稿載置台の外面として露出された領域に配設され、上記画像読取手段の明度基準となる第１の基準部材と、上記透過部材が上記原稿載置台の外面として露出された領域以外に配設され、上記画像読取手段の明度基準となる第２の基準部材と、を具備してなる画像読取装置であって、上記制御手段は、上記開閉検知手段が上記原稿押さえ部材の閉姿勢を検知している場合に、上記走査手段を上記第１の基準部材の対向位置に移動させて、該第１の基準部材に対して上記画像読取手段の出力調整を行い、上記開閉検知手段が上記原稿押さえ部材の開姿勢を検知している場合に、上記走査手段を上記第２の基準部材の対向位置に移動させて、該第２の基準部材に対して上記画像読取手段の出力調整を行うものである。
【００１２】
原稿載置台に対して原稿押さえ部材が閉じられることにより、透過部材に載置された原稿が該透過部材に押圧されるとともに該透過部材が覆われる。これにより、原稿載置台の内部に外光が進入することが防止される。そして、制御手段が、走査手段及び画像読取手段を動作させることにより、上記原稿の画像読取りが行われる。この画像読取りに先だって、制御手段は、画像読取手段の出力調整を行う。上記原稿押さえ部材が原稿載置台に対して閉じられている場合、すなわち開閉検知手段が原稿押さえ部材の閉姿勢を検知している場合には、制御手段は、第１の基準部材に対して出力調整を行うように、走査手段及び画像読取手段を動作させる。一方、原稿押さえ部材が原稿載置台に対して開かれている場合には、原稿載置台の内部に外光が進入し、第１の基準部材にも外光が影響する。したがって、原稿押さえ部材が原稿載置台に対して開かれている場合、すなわち開閉検知手段が原稿押さえ部材の開姿勢を検知している場合には、制御手段は、第２の基準部材に対して出力調整を行うように、走査手段及び画像読取手段を動作させる。
【００１３】
また、本発明は、上記画像読取装置において、上記第１の基準部材は、上記透過部材と、該透過部材が上記原稿載置台の外面として露出された領域に配設されて該領域を区画する区画部材との間に介設されたものであり、好ましくは、上記区画部材は、上記透過部材が上記原稿載置台の外面として露出された領域を、上記画像読取手段が、所定方向に搬送される原稿の画像を読み取るための搬送原稿読取領域と、上記画像読取手段が、透過部材に載置された原稿の画像を読み取るための静止原稿読取領域とに区画するものである。
【００１４】
これにより、上記透過部材が上記原稿載置台の外面として露出された領域以外に第１の基準部材を配設するスペースを確保する必要がなく、原稿載置台を小型化することができる。
【００１５】
また、本発明は、上記画像読取装置において、上記原稿押さえ部材に、給紙トレイに装填された原稿を上記搬送原稿読取領域へ搬送して排紙トレイへ排出する自動原稿搬送機構が設けられ、上記区画部材は、上記原稿押さえ部材側の面に、読取前の原稿を搬送原稿読取領域へ案内するガイド面が形成されたものである。
【００１６】
上記区画部材にガイド面を設けることにより、搬送原稿読取領域への原稿の搬送を円滑ならしめるとともに、部材の共通化により小型化及びコストダウンを実現することができる。また、このガイド面は、読取前の原稿を搬送原稿読取領域へ案内するものなので、ガイド面の最下部を上記透過部材の原稿載置面より凹ませる必要がない。したがって、透過部材を搬送原稿読取領域と静止原稿読取領域とに渡る１枚の部材で構成することができる。
【００１７】
また、本発明は、上記画像読取装置において、上記第２の基準部材は、上記原稿載置台の内面側に配設されたものであり、好ましくは、上記走査手段の移動範囲の端位置に配設されたものであり、より好ましくは、上記静止原稿読取領域側の移動範囲の端位置に配設されたものである。
【００１８】
これにより、第２の基準部材を原稿と同等の読取環境にするとともに、原稿載置台のサイズを拡大することなく、第２の基準部材に外光が影響することを確実に防止することができる。
【００１９】
また、本発明は、上記画像読取装置において、上記画像読取手段は、上記第１の基準部材付近を待機位置とするものである。
【００２０】
原稿載置台に対して原稿押さえ部材が閉姿勢であれば、制御手段は、上記第１の基準部材に対して画像読取手段の出力調整を行った後に画像読取りを行う。このような出力調整及び画像読取が通常の画像読取動作である。したがって、通常の画像読取動作で出力調整の対象となる第１の基準部材付近を、画像読取手段の待機位置とすることにより、出力調整のために走査手段を移動させる距離が短くなり、画像読取動作を高速化することができる。
【００２１】
また、本発明は、上記画像読取装置において、上記制御手段は、上記第１の基準部材又は第２の基準部材に対する画像読取手段の出力調整として、光源の光量調整、白レベルデータの取得、又は黒レベルデータの取得の少なくともいずれか１つを行うものである。
【００２２】
これにより、外光の影響を受けることなく光源の光量調整や、シェーディング補正の基準データとなる白レベルデータ及び黒レベルデータを取得することができる。
【００２３】
また、好ましくは、上記画像読取手段は、密着型イメージセンサである。
【００２４】
また、本発明は、上記画像読取手段において、上記開閉検知手段は、原稿載置台に進入する外光の有無を検知することにより、上記原稿押さえ部材の開閉を検知するものである。
【００２５】
このような外光の有無の検知は、画像読取手段を用いて行うことができるので、原稿押さえ部材の開閉を検知するためのセンサを別途設ける必要がなく、装置の小型化及び低コスト化が実現される。
【００２６】
また、好ましくは、上記開閉検知手段は、上記画像読取手段が上記第１の基準部材に対して光量調整を行って得た光量調整値が所定の閾値未満である場合に、原稿押さえ部材が開姿勢と検知するものである。
【００２７】
また、好ましくは、上記開閉検知手段は、上記画像読取手段が光源を消灯して上記第１の基準部材を読み取った際の読取値が所定の閾値以上である場合に、原稿押さえ部材が開姿勢と検知するものである。
【００２８】
また、好ましくは、上記第１の基準部材は、上記走査手段の移動方向に白色部分と黒色部分とが並設されたものであり、上記開閉検知手段は、上記画像読取手段が光源を消灯して上記第１の基準部材の白色部分と黒色部分とをそれぞれ読み取った際の読取値の差が所定の閾値以上である場合に、原稿押さえ部材が開姿勢と検知するものである。
【発明の効果】
【００２９】
本発明に係る画像読取装置によれば、原稿押さえ部材が原稿載置台に対して閉じられている場合には、第１の基準部材に対して出力調整を行い、原稿押さえ部材が原稿載置台に対して開かれている場合には、第２の基準部材に対して出力調整を行うこととしたので、原稿押さえ部材が開かれていても、画像読取手段の出力調整を的確に行うことができる。これにより、出力調整時に外光の影響を受けて読取画像が劣化することを防止できる。
【発明を実施するための最良の形態】
【００３０】
以下、適宜図面を参照して本発明の実施形態を説明する。なお、本実施の形態は本発明の一例にすぎず、本発明の要旨を変更しない範囲で、実施形態を適宜変更できることは言うまでもない。
【００３１】
図１は、本発明の実施の形態に係る複合機１の外観構成を示すものである。本複合機１は、スキャナ機能、プリンタ機能、ファクシミリ機能を一体的に備えた多機能装置（ＭＦＤ：Multi Function Device）である。複合機１の上部は、原稿の画像を読み取るためのスキャナ部２であり、複合機１の下部は、記録用紙に画像を記録するためのプリンタ部３である。本発明に係る画像読取装置は、複合機１のスキャナ部２として実現されており、プリンタ機能等は本発明において任意の機構であり、例えば、スキャナ機能のみのスキャナ単体として本発明に係る画像読取装置を実現してもよい。
【００３２】
以下、スキャナ部２の構成について詳述する。
図１及び図２に示すように、スキャナ部２は、ＦＢＳ（Flatbed Scanner）として機能する原稿載置台４に対して、自動原稿搬送機構であるオート・ドキュメント・フィーダ（ＡＤＦ：Auto Document Feeder）５を備えた原稿押さえカバー６（原稿押さえ部材）が、背面側の蝶番を介して開閉自在に取り付けられる。原稿載置台４は、複合機１の筐体として構成されており、原稿押さえカバー６と対向する天面にプラテンガラス２０（透明部材）が配設されている。上記原稿押さえカバー６が開かれることにより、プラテンガラス２０が原稿載置台４の上面として露出され、原稿押さえカバー６が閉じられることにより、プラテンガラス２０を含めて原稿載置台４の上面全体が覆われる。また、該プラテンガラス２０に対向するようにして、原稿載置台４の内部に画像読取ユニット２１が内蔵されている。
【００３３】
原稿押さえカバー６には、給紙トレイ２２から所定の搬送路２６を経て排紙トレイ２３へ原稿を連続搬送するＡＤＦ５が備えられている。該ＡＤＦ５による搬送過程において、原稿がプラテンガラス２０上を通過し、該プラテンガラス２０の下方において画像読取ユニット２１が該原稿の画像を読み取るようになっている。このＡＤＦ５の構造の詳細については後述する。また、原稿押さえカバー６の下面には、プラテンガラス２０上に載置された原稿を押さえるために、スポンジ及び白板等からなる押さえ部材１９が配設されている。
【００３４】
原稿載置台４の正面側には、操作パネル７が設けられている。操作パネル７は各種操作ボタンや液晶表示部から構成されており、複合機１は、該操作パネル７からの指示によって動作するようになっている。また、複合機１は、操作パネル７による指示のほか、コンピュータに接続されて該コンピュータからプリンタドライバやスキャナドライバ等を介して送信される指示によっても動作する。
【００３５】
また、複合機１の正面の左上部には、記録媒体である各種小型メモリカードを装填可能なスロット部８が設けられている。該スロット部８に装填された小型メモリカードに記録された画像データを読み出してその画像データに関する情報を液晶表示部に表示させ、任意の画像をプリンタ部３により記録用紙に記録させるための入力を、上記操作パネル７から行うことができる。
【００３６】
図１及び図２に示すように、原稿押さえカバー６に、給紙トレイ２２及び排紙トレイ２３が上下二段に設けられている。給紙トレイ２２は、原稿押さえカバー６の上面と一体に形成されている。ＡＤＦ５により画像読取りを行う原稿は、複数枚が積層された状態で、給紙方向の先端をＡＤＦ５に挿入するようにして、給紙トレイ２２上に載置される。また、給紙トレイ２２には、複合機１の奥行き方向に隔てて一対の原稿ガイド２４が、奥行き方向へスライド移動可能に設けられている。該原稿ガイド２４は、給紙トレイ２２から起立して、給紙トレイ２２に載置される原稿の幅方向の両端を案内するものであり、周知の連動機構により、一対のいずれか一方の原稿ガイド２４をスライド移動させると、他方の原稿ガイド２４も相反する方向へスライド移動する。
【００３７】
すなわち、原稿幅が狭い場合には、複合機１の正面側の一方の原稿ガイド２４を背面側へスライド移動させると、これに連動して、背面側の他方の原稿ガイド２４は正面側へスライド移動する。これにより、奥行き方向の略中央を中心として、一対の原稿ガイド２４により案内される原稿幅を狭くすることができる。逆に、原稿幅が広い場合には、複合機１の正面側の一方の原稿ガイド２４を正面側へスライド移動させると、これに連動して、背面側の他方の原稿ガイド２４は背面側へスライド移動して、一対の原稿ガイド２４により案内される原稿幅を広くすることができる。
【００３８】
上記一対の原稿ガイド２４には、給紙トレイ２２と上下方向に隔てて排紙トレイ２３が一体的に形成されている。ＡＤＦ５から排紙された原稿は、その両側を排紙トレイ２３に担持されて、給紙トレイ２２上の原稿と分離した状態で保持される。排紙トレイ２３は、排紙方向の長さが原稿の長さより短いので、原稿の排紙方向先端側は、排紙トレイ２３から垂れ下がるようにして、給紙トレイ２２上に保持される。したがって、給紙トレイ２２上の原稿の給紙方向後端部分の上に、排紙トレイ２３上の原稿の排紙方向先端部分が重なるが、給紙トレイ２２上の原稿の給紙方向先端部分と、排紙トレイ２３上の原稿の排紙方向後端部分とは、排紙トレイ２３により上下二段に保持されているので、これら原稿が混同することはない。また、排紙トレイ２３を短くすることにより、原稿押さえカバー６上に必要な空間を小さくして、複合機１を薄型且つ小型にすることができる。
【００３９】
また、給紙トレイ２２のＡＤＦ５が設けられていない側の端部には、給紙トレイ２２の上面から起立する起立姿勢と、給紙トレイ２２の上面と一体に倒伏する倒伏姿勢とに姿勢変化する原稿ストッパ２５が設けられている。図に示すように、原稿ストッパ２５を起立姿勢とすることにより、例えば、給紙トレイ２２と同程度の大きさの原稿がＡＤＦ５から排出された際に、該原稿が原稿ストッパ２５により制止され、給紙トレイ２２から滑り落ちることが防止される。このように、排出された原稿を原稿ストッパ２５で受け止めることにより、給紙トレイ２２の面積を小さくすることができ、給紙トレイ２２が一体的に形成された原稿押さえカバー６を小型化できる。また、原稿ストッパ２５が不要な場合には、倒伏姿勢とすることにより、原稿押さえカバー６から突出せず、梱包時や保管時の複合機１のサイズをコンパクトにできる。
【００４０】
図２に示すように、ＡＤＦ５の内部には、上記給紙トレイ２２と排紙トレイ２３とを連結するようにして、搬送路２６が横向き略Ｕ字形状に形成されている。搬送路２６は、原稿押さえカバー６に一体に形成されたＡＤＦ本体２７と、該ＡＤＦ本体２７に開閉自在に設けられたＡＤＦカバー２８とによって構成されている。図に示すように、ＡＤＦ５の吸入シュート部２９は、上記給紙トレイ２２が延長されるようにして、ＡＤＦ本体２７に形成された水平面と、ＡＤＦカバー２８の内側に配設されたガイド板３０によって、上下に所定幅の通路として構成されている。搬送路２６は、該吸入シュート部２９から、湾曲部３７を経て、排紙シュート部３８へ横向き略Ｕ字形状に形成されており、湾曲部３７及び排紙シュート部３８も、ＡＤＦ本体２７、ＡＤＦカバー２８、及びガイド板３０等により、所定幅の通路として連続的に形成されている。
【００４１】
上記搬送路２６には、原稿を搬送するための搬送手段が配設されている。詳細には、図に示すように、吸入ローラ３１とこれに圧接する吸入ニップ片３２、分離ローラ３３とこれに圧接する分離ニップ片３４、及び搬送ローラ３５とこれに圧接するピンチローラ３６によって搬送手段が構成されている。なお、搬送手段を構成する各ローラやニップ片の構成は一例であり、ローラの数や配置を変更したり、各ニップ片に代えてピンチローラを用いる等、その他の公知の搬送手段に変更できることは勿論である。
【００４２】
図に示すように、吸入ローラ３１は、吸入シュート部２９の略中央に、そのローラ面の一部をＡＤＦ本体２７に形成された水平面の上面から露出するようにして回転可能に設けられている。また、分離ローラ３３は、該吸入ローラ３１から給紙方向へ隔てた位置に、同様に、そのローラ面の一部をＡＤＦ本体２７に形成された水平面の上面から露出するようにして回転可能に設けられている。これら吸入ローラ３１及び分離ローラ３３には搬送モータ６２（図８参照）からの駆動力が伝達されて、回転駆動されるようになっている。また、吸入ローラ３１及び分離ローラ３３は同径であり、同じ周速度で回転される。また、吸入ローラ３１への駆動伝達においては１周クラッチが介設されており、吸入ローラ３１は１周分の空転が可能となっている。
【００４３】
吸入ニップ片３２は、上記ガイド板３０の吸入ローラ３１の対向位置に、吸入ローラ３１と接離する方向へ揺動可能に設けられている。また、該吸入ニップ片３２は、不図示のバネ部材により下方へ弾性付勢されており、原稿をニップしない状態で吸入ローラ３１のローラ面に圧接されている。同様に、分離ニップ片３４は、上記ガイド板３０の分離ローラ３３の対向位置に、分離ローラ３３と接離する方向へ揺動可能に設けられており、不図示のバネ部材により下方へ弾性付勢されて、原稿をニップしない状態で分離ローラ３３のローラ面に圧接されている。これら吸入ニップ片３２及び分離ニップ片３４により原稿がニップされることにより、該原稿が吸入ローラ３１及び分離ローラ３３に圧接されて、吸入ローラ３１及び分離ローラ３３の回転力が原稿に伝達される。
【００４４】
搬送ローラ３５は、搬送路２６の横向き略Ｕ字形状の湾曲部３７に配設されている。該搬送ローラ３５は、そのローラ面が湾曲部３７の一部をなす程度の外径のものである。該搬送ローラ３５は、上記吸入ローラ３１及び分離ローラ３３と同様に、搬送モータ６２からの駆動力が伝達されて、回転駆動されるようになっている。
【００４５】
搬送ローラ３５の周囲には、ピンチローラ３６が３箇所に設けられている。各ピンチローラ３６は、その軸がバネ片に弾性付勢されてＡＤＦ本体２７又はＡＤＦカバー２８に回転自在に支持されて、搬送ローラ３５のローラ面に圧接している。そして、搬送ローラ３５が回転すれば、これに従動してピンチローラ３６も回転する。これらピンチローラ３６により、原稿が搬送ローラ３５に圧接されて、搬送ローラ３５の回転力が原稿に伝達される。
【００４６】
搬送ローラ３５の原稿搬送方向下流側には、排紙シュート部３８が形成されている。排紙シュート部３８は、ＡＤＦカバー２８の内面と搬送ローラ３５とで構成された搬送路２６の湾曲部３７と連続するようにして、ＡＤＦカバー２８とガイド板３０との間に形成されている。したがって、給紙トレイ２２から搬送路２６へ供給された原稿は、吸入シュート部２９、湾曲部３７、排紙シュート部３８を順次経て、排紙トレイ２３に排出される。
【００４７】
ＡＤＦカバー２８は、吸入ローラ３１より給紙トレイ２２側を回動軸として、上方へ回動自在に設けられている。ＡＤＦカバー２８を開くことにより、吸入シュート部２９及び湾曲部３７が開放されるとともに、吸入ローラ３１及び分離ローラ３３と、吸入ニップ片３２及び分離ニップ片３４とが離間される。したがって、ＡＤＦカバー２８を開くことにより、搬送路２６において発生した紙詰まりを解消したり、ＡＤＦ５の内部のメンテナンスを行うことができる。
【００４８】
図２及び図３に示すように、原稿載置台４の上面にはプラテンガラス２０が配設されている。該プラテンガラス２０は、スキャナ部２をＦＢＳとして使用する場合に原稿を載置するものであり、１枚の透明なガラス板である。原稿載置台４の筐体３９は、その上面中央にプラテンガラス２０を露出するための開口が形成されている。プラテンガラス２０は、該開口より十分に大きなものであり、プラテンガラス２０のうち開口から露出された領域が原稿読取領域となる。
【００４９】
上記筐体３９内には、すなわちプラテンガラス２０の原稿載置面と反対側には画像読取ユニット２１が配設されている。筐体３９は合成樹脂製のものであり、画像読取ユニット２１が配設される部分と操作パネル７の基板等が配設される部分とを区画するリブや、プラテンガラス２０を支持するための支持リブ、各種部材をネジ止めするためのボス部、電気配線等のための貫通孔等が設けられているが、これらは原稿載置台４の実施態様に応じて適宜設計されるものなので、詳細な説明は省略する。
【００５０】
画像読取ユニット２１は、図２に示すように、ＣＩＳユニット４０（画像読取手段）、キャリッジ４１（走査手段）、及び不図示の走査機構から構成されている。ＣＩＳユニット４０は、光源４２からプラテンガラス２０を通じて原稿に光を照射し、該原稿からの反射光をレンズ４３により受光素子４４に集光して電気信号に変換するいわゆる密着型のイメージセンサである。受光素子４４は、例えばチップ単位で搬送ローラ３５の軸方向、すなわち原稿の幅方向に一列に並べられており、光源４２及びレンズ４３も同方向に列設されている。また、光源４２には、レッド（Ｒ）・グリーン（Ｇ）・ブルー（Ｂ）に色分解された３色の発光ダイオード（ＬＥＤ）が用いられている。
【００５１】
図４に示すように、上記ＣＩＳユニット４０はキャリッジ４１に搭載されてプラテンガラス２０に密接されており、キャリッジ４１は、走査機構であるベルト駆動機構によりプラテンガラス２０の下方を走査可能に設けられている。キャリッジ４１は、原稿載置台４の筐体３９の幅方向に渡って架設されたガイドシャフト４５と嵌合して、不図示のベルト駆動機構により駆動されてガイドシャフト４５上を摺動して移動するものであり、該キャリッジ４１が上記ＣＩＳユニット４０をプラテンガラス２０に密着させるように搭載してガイドシャフト４５上を移動することにより、ＣＩＳユニット４０がプラテンガラス２０に沿って走査される。
【００５２】
図に示すように、キャリッジ４１は、その上側に担持するようにして上記ＣＩＳユニット４０を搭載しており、キャリッジ４１の下面には、ガイドシャフト４５を上方から跨ぐようにして嵌合するシャフト受け部４６が形成されている。該シャフト受け部４６とガイドシャフト４５とが嵌合して、キャリッジ４１がガイドシャフト４５に担持されてガイドシャフト４５の軸方向に摺動自在となっている。また、シャフト受け部４６の側方には、ベルト掴持部４７が下方へ突設されている。該ベルト掴持部４７は、ベルト駆動機構のタイミングベルトを掴むことにより、該タイミングベルトとキャリッジ４１とを連結するためのものである。これにより、ベルト駆動機構からキャリッジ４１に駆動力が伝達されて、ガイドシャフト４５上をキャリッジ４１が移動するものとなる。なお、ベルト駆動機構は、例えば、駆動プーリと従動プーリとの間にタイミングベルトが巻架され、モータの回転が駆動プーリの軸に出力され、該駆動プーリの回転によりタイミングベルトが周運動するように構成されている。
【００５３】
また、上記ＣＩＳユニット４０が搭載されるキャリッジ４１の内側には、バネ受け部４８が左右２箇所に形成されており、該バネ受け部４８により位置決めされて、ＣＩＳユニット４０とキャリッジ４１との間にコイルバネ４９が介設されている。このコイルバネ４９により、キャリッジ４１に搭載されたＣＩＳユニット４０がプラテンガラス２０の下面に押し付けられるように密着している。ＣＩＳユニット４０の両端側には、コロ５０が設けられており、該コロ５０により、プラテンガラス２０の下面に押し付けられたＣＩＳユニット４０が、キャリッジ４１の移動に伴いプラテンガラス２０の下面に密着しながら円滑に移動するようになっている。
【００５４】
図３に示すように、上記プラテンガラス２０の上面には、プラテンガラス２０が原稿載置台４の上面として露出された領域を区画する区画部材５１が配設されている。区画部材５１は、原稿載置台４の奥行き方向、換言すれば原稿読取ユニット２１の延設方向に長尺の平板状の部材であり、図に示すように、プラテンガラス２０を左右２つの領域に区画している。図２に示したように、プラテンガラス２０の一端側（図左側）は、上記搬送ローラ３５の下方にまで至っており、ＡＤＦ５を用いて画像読取りを行う際の読取面を構成している。
【００５５】
一方、プラテンガラス２０の他端側は、スキャナ部２をＦＢＳとして使用する場合の原稿載置面をなしている。そして、上記区画部材５１は、ＡＤＦ５における読取面である搬送読取領域２０Ｌと、ＦＢＳにおける原稿載置面である静止原稿読取領域２０Ｒとにプラテンガラス２０を左右に区画している。また、区画部材５１は、静止原稿読取領域２０Ｒに原稿を載置する際に、原稿の位置決め基準として用いられる。したがって、原稿は、区画部材５１に記した中央位置を基準として静止原稿読取領域２０Ｒに載置され、区画部材５１には、中央位置やＡ４サイズ、Ｂ５サイズ等の各種原稿サイズの両端位置を示す表示が記されている。
【００５６】
また、図５に示すように、上記区画部材５１は、原稿押さえカバー６と対向する面にガイド面５２が形成されている。ガイド面５２は、区画部材５１の搬送ローラ３５と対向する面を、プラテンガラス２０の搬送原稿読取領域２０Ｌへ向かって厚みが薄くなるように傾斜させたものであり、このガイド面５２により、給紙トレイ２２から搬送路２６へ搬送される原稿の先端が搬送原稿読取領域２０Ｌへ案内される。これにより、搬送原稿読取領域２０Ｌへの原稿の搬送を円滑ならしめるとともに、区画部材５１と別途にガイド部材を設ける必要がなく、部材の共通化によりスキャナ部２の小型化及びコストダウンを実現することができる。
【００５７】
また、上記ガイド面５２は、読取前の原稿を搬送原稿読取領域２０Ｌへ案内するものなので、ガイド面５２の最下部をプラテンガラス２０の表面より凹ませる必要がない。つまり、搬送原稿読取領域２０Ｌの下流側に形成されたガイド面３９Ａは、読取後の原稿を搬送原稿読取領域２０Ｌからすくい上げるように案内するものなので、仮に、ガイド面３９Ａの最下端がプラテンガラス２０の表面より突出していれば、読取後の原稿の先端がガイド面３９Ａの最下端に当接してジャム等の原因となり得る。したがって、ガイド面３９Ａの最下端はプラテンガラス２０の表面より凹ませておくことが好適である。
【００５８】
これに対し、仮に、区画部材５１のガイド面５２の最下端がプラテンガラス２０より突出していたとしても、原稿が区画部材５１に当接してジャムが生ずるおそれはない。したがって、プラテンガラス２０を搬送原稿読取領域２０Ｌと静止原稿読取領域２０Ｒとに分割して、区画部材５１のガイド面５２の最下端をプラテンガラス２０より凹ませる必要がなく、これら領域を１枚のプラテンガラス２０で構成し、区画部材５１をプラテンガラス２０の上面に配設することができる。これにより、プラテンガラス２０及び区画部材５１の構成が簡易になるとともに、スキャナ部２の組立てが容易となる。
【００５９】
図５に示すように、上記区画部材５１の下面側には、プラテンガラス２０との間に介在するように第１の基準部材５３が設けられている。この第１の基準部材５３は、ＣＩＳユニット４０の明度基準となるものである。詳細には、第１の基準部材５３は、区画部材５１の下面のほぼ全域を覆う薄膜帯状の部材であり、図６に示すように、ＣＩＳユニット４０の副走査方向、すなわち図の左右方向に３つの領域を有する。左端側の領域５３Ａは白色に着色された領域であり、ＣＩＳユニット４０の光量調整や白レベルデータの取得に用いられる。中央の領域５３Ｂは黒色に着色された領域であり、ＣＩＳユニット４０の黒レベルデータの取得に用いられる。また、左端の領域５３Ａと中央の領域５３Ｂの境界が、ＣＩＳユニット４０の副走査方向の基準となる。右端の領域５３Ｃは奥行き方向の中央が白色に着色され、且つ両端が黒色に着色された領域であり、ＣＩＳユニット４０の主走査方向の基準となる。このような第１の基準部材５３が、各領域がＣＩＳユニット４０の延設方向と同方向となるようにして、区画部材５１とプラテンガラス２０との間に介設されている。
【００６０】
このように、区画部材５１の下面に第１の基準部材５３を介設することにより、第１の基準部材５３の読取位置と、原稿の読取位置、すなわち、搬送原稿読取領域２０Ｌ及び静止原稿読取領域２０Ｒの読取開始位置とを近接することができ、第１の基準部材に対して光量調整や白レベルデータを取得後に原稿を読み取るに要するキャリッジ４１の移動距離を短くすることができる。また、区画部材５１と第１の基準部材５３とを略同幅とすることにより、区画部材５１の幅が小さくなるので、原稿載置台４の上面に露出されるプラテンガラス２０の領域を小さくすることができる。これにより、原稿載置台４の上面の面積を小さくして、スキャナ部２を小型化することができる。
【００６１】
また、図３及び図７に示すように、プラテンガラス２０が原稿載置台４の外面として露出された領域以外であって、原稿載置台４の幅方向左側のＣＩＳユニット４０の副走査方向の端部には、第２の基準部材５４が配設されている。なお、図７において原稿押さえカバー６は省略されている。第２の基準部材５４も、上記第１の基準部材５３と同様に、ＣＩＳユニット４０の明度基準となるものである。詳細には、第２の基準部材５４は、ＣＩＳユニット４０主走査方向に渡る薄膜帯状の部材であり、原稿載置台４の筐体３９とプラテンガラス２０との間に介設されている。前述したように、筐体３９の上面にはプラテンガラス２０を露出するための開口が形成されており、第２の基準部材５４は、該開口周縁から十分に奥側に配置されている。この位置は、開口から進入した外光が第２の基準部材５４に影響しない程度に設定されており、具体的には開口周縁より数センチメートル程度奥側でよい。また、プラテンガラス２０は、筐体３９の開口より大きいものであり、筐体３９の上面の内面側にまで延出されている。
【００６２】
このように、第２の基準部材５４を筐体３９とプラテンガラス２０との間に介設することにより、第２の基準部材５４を原稿と同等の読取環境、すなわちプラテンガラス２０上であって上側が遮光された状態に配置することができる。また、筐体３９の内面側に配置することにより、原稿載置台４のサイズを拡大することなく、第２の基準部材５４に外光が影響することを確実に防止することができる。この第２の基準部材５４は、その全領域が白色に着色されており、ＣＩＳユニット４０の光量調整や白レベルデータ及び黒レベルデータの取得に用いられる。
【００６３】
図８は、複合機１の制御部５５の構成を示している。該制御部５５は、スキャナ部２のみでなくプリンタ部３も含む複合機１の全体動作を制御するものである。しかしながら、本実施の形態においてはプリンタ部３の構成要素は詳述する必要がないので、図においてはプリンタ部３の構成要素は省略されている。制御部５５は、図に示すように、ＣＰＵ５６、ＲＯＭ５７、ＲＡＭ５８、ＥＥＰＲＯＭ（Electrically Erasable and Programmable ROM）５９を主とするマイクロコンピュータとして構成されており、バス６０を介してＡＳＩＣ（Application Specific Integrated Circuit）６１に接続されている。
【００６４】
ＲＯＭ５７には、複合機１の各種動作を制御するためのプログラム等が格納されている。ＲＡＭ５８は、ＣＰＵ５６が上記プログラムを実行する際に用いる各種データを一時的に記録する記憶領域又は作業領域として使用される。
【００６５】
ＡＳＩＣ６１は、ＣＰＵ５６からの指令に従い、搬送（ＬＦ）モータ６２に通電する相励磁信号等を生成して、該信号を搬送モータ６２の駆動回路６３に付与し、該駆動回路６３を介して駆動信号を搬送モータ６２に通電することにより、搬送モータ６２の回転制御を行っている。
【００６６】
駆動回路６３は、上記吸入ローラ３１、分離ローラ３３及び搬送ローラ３５に接続された搬送モータ６２を駆動させるものであり、ＡＳＩＣ６１からの出力信号を受けて、搬送モータ６２を回転するための電気信号を形成する。該電気信号を受けて搬送モータ６２が回転し、該搬送モータ６２の回転力がギアや駆動軸等からなる周知の駆動機構を介して、分離ローラ３３及び搬送ローラ３５へ伝達される。
【００６７】
同様に、ＡＳＩＣ６１は、ＣＰＵ５６からの指令に従い、キャリッジ（ＣＲ）モータ６４に通電する相励磁信号等を生成して、該信号をキャリッジモータ６４の駆動回路６５に付与し、該駆動回路６５を介して駆動信号をキャリッジモータ６４に通電することにより、キャリッジモータ６４の回転制御を行っている。
【００６８】
駆動回路６５は、上記キャリッジ４１に接続されたベルト駆動機構のキャリッジモータ６４を駆動させるものであり、ＡＳＩＣ６１からの出力信号を受けて、キャリッジモータ６４を回転するための電気信号を形成する。該電気信号を受けてキャリッジモータ６４が回転し、該キャリッジモータの回転力が周知のベルト駆動機構を介して、キャリッジ４１へ伝達されことによりキャリッジ４１が走査される。
【００６９】
また、ＡＳＩＣ６１には、搬送路２６において原稿を検出するためのリードセンサ６６や、分離ローラ３３及び搬送ローラ３５の回転量を検出するためにこれらに設けられたロータリエンコーダ６７、キャリッジ４１の移動量を検出するためのリニアエンコーダ６８が接続されている。
【００７０】
また、ＡＳＩＣ６１には、搬送路２６を搬送される原稿の画像読取りを行うＣＩＳユニット４０が接続されている。そして、ＲＯＭ５７に格納された制御プログラムに基づいて、光量調整や白レベルデータの取得、画像読取りが行われる。また、本実施の形態では、ＣＩＳユニット４０は、原稿押さえカバー６の開閉を検知する開閉検知手段としても機能する。詳細に説明するに、原稿押さえカバー６を開くことにより、原稿載置台４の上面のプラテンガラス２０が露出され、該プラテンガラス２０を通じて原稿載置台４の内部に外光が進入する。一方、原稿押さえカバー６を閉じれば、プラテンガラス２０は原稿押さえカバー６に覆われるので、外光が遮断され原稿載置台４の内部に進入しない。
【００７１】
ＣＩＳユニット４０は、原稿載置台４の内部に配設されているので、後述するように、ＣＩＳユニット４０が第１の基準部材５３に対して光量調整を行う際に、得られた光量調整値が所定の閾値未満であるか否かに基づいて原稿押さえカバー６の開閉を判断することができる。すなわち、外光が進入していれば、その外光量だけＣＩＳユニット４０の光源４２の光量は少なくても一定の出力が得られるので光量調整値は小さくなる。したがって、光量調整値が所定の閾値未満であれば、原稿押さえカバー６が開いていると判断することができる。このような開閉検知手段は、上記ＣＰＵ５６、ＲＯＭ５７、ＲＡＭ５８、ＥＥＰＲＯＭ５９、及びＣＩＳユニット４０から構成される。
【００７２】
このように、ＣＩＳユニット４０による外光の検知に基づいて原稿押さえカバー６の開閉を判断させることにより、原稿押さえカバー６の開閉を検知するためのセンサを別途設ける必要がなく、スキャナ部２の小型化及び低コスト化が実現される。なお、ＣＩＳユニット４０を複合機１の電源がオンとされている間において常時動作させて外光の有無を検出するようにしてもよい。この場合は、ＣＩＳユニット４０が外光を検出した場合、すなわちＣＩＳユニット４０の出力が所定の閾値以上であれば原稿押さえカバー６が開姿勢であり、該出力が所定の閾値未満であれば原稿押さえカバー６が閉姿勢と判断することができる。
【００７３】
さらに、ＡＳＩＣ６１には、複合機１の操作指示を行うための操作パネル７、各種小型メモリカードが挿入されるスロット部８、パソコン等の外部機器とパラレルケーブルやＵＳＢケーブルを介してデータの送受信を行うためのパラレルインタフェース６９及びＵＳＢインタフェース７０、ファクシミリ機能を実現するためのＮＣＵ（Network Control Unit）７１やＭＯＤＥＭ７２も接続されている。
【００７４】
以下、スキャナ部２の動作について説明する。
スキャナ部２をＦＢＳとして使用する場合には、原稿押さえカバー６を開いてプラテンガラス２０の静止原稿読取領域２０Ｒに原稿Ｇを載置する。そして、原稿押さえカバー６を閉じて、該原稿Ｇをプラテンガラス２０上に固定する。その後、操作パネル７のスタートボタンを押すことにより、制御部５５が、キャリッジ４１をプラテンガラス２０に沿って移動させ、その移動の間にＣＩＳユニット４０によりプラテンガラス２０の静止原稿読取領域２０Ｒに載置された原稿Ｇの画像を読み取る。
【００７５】
一方、ＡＤＦ５を使用する場合には、原稿押さえカバー６を原稿載置台４に対して閉じた状態とする。そして、給紙トレイ２２に読み取るべき原稿Ｇを載置する。該原稿Ｇは１枚であっても複数枚であってもよい。例えば、同じサイズの複数枚の原稿Ｇの画像読取りを行う場合には、各原稿Ｇを重ねて揃え、その一端を給紙トレイ２２から吸入シュート部２９に挿入する。
【００７６】
そして、操作パネル７のスタートボタンを押せば、制御部５５が、モータを駆動して、吸入ローラ３１、分離ローラ３３、搬送ローラ３５を所定のタイミングで回転駆動する。そして、吸入ローラ３１及び分離ローラ３３の回転力を直接受ける最下位置の原稿Ｇから１枚ずつ分離されて搬送路２６へ送り込まれる。給送された原稿Ｇは、搬送路２６に案内されて搬送原稿読取領域２０Ｌへ搬送され、該搬送原稿読取領域２０Ｌの下方で静止されたＣＩＳユニット４０により原稿Ｇの画像読取りが行われる。そして、画像読取りを終えた原稿Ｇは、排紙シュート部３８から排紙トレイ２３へ排出される。
【００７７】
このようなスキャナ部２による画像読取りにおいて、ＣＩＳユニット４０が原稿Ｇの画像読取りを開始する前に、ＣＩＳユニット４０の出力調整として、光源４２の光量調整、並びに白レベルデータ及び黒レベルデータの取得が行われる。
【００７８】
図５，７，９，１０を用いて詳細に説明するに、先ず制御部５５は、キャリッジ４１をホームポジションＨＰ（待機位置）に移動させる。このホームポジションＨＰは、搬送原稿読取領域２０Ｌの下方付近である。このホームポジションＨＰは、第１の基準部材５３の左端の領域５３Ａと中央の領域５３Ｂの境界をマークポジションとして制御部５５に認識される。そして、画像読取りに先立ってキャリッジ４１を第１の基準部材５３の下方、すなわち図５における位置Ｐ１に移動させる（Ｓ１）。この位置Ｐ１は、第１の基準部材５３の左端の領域５３Ａに対応する位置である。このように、第１の基準部材５３付近をホ−ムポジションＨＰとしてＣＩＳユニット４０の待機位置とすることにより、第１の基準部材５３に対して光量調整を行うまでに、キャリッジ４１を移動させる距離が短くなり、画像読取動作を高速化することができる。
【００７９】
そして、制御部５５は、ＣＩＳユニット４０の光源４２の光量調整を第１の基準部材５３に対して行う。詳細には、最初に十分に小さい光量で光源４２から第１の基準部材５３の領域５３Ａに光を照射する。この場合、領域５３Ａからの反射光も小さくなるので、ＣＩＳユニット４０の受光素子４４からの出力も小さい。そして、受光素子４４の出力が所望の値となるまで段階的に光源４２の光量を増加し、該出力が所望の値となったときの光量を光量調整値としてＲＡＭ５８に格納する。
【００８０】
続いて、得られた光量調整値を予め定められた閾値と比較する（Ｓ３）。この閾値は、原稿押さえカバー６が閉じられて光量調整を行った場合に得られる光量調整値に基づいて定められる。具体的には、例えば、複合機１の出荷時に標準の光量調整値としてＥＥＰＲＯＭ５９に設定された光量調整値や、前回までの光量調整において得られた光量調整値をＥＥＰＲＯＭ５９に記憶させ、これら光量調整値に０．８等の所定の係数を乗じて閾値とすることができる。
【００８１】
すなわち、仮に係数を０．８とすれば、原稿押さえカバー６が閉じられて光量調整を行った場合に得られる光量調整値の８割以上であれば、制御部５５は、原稿押さえカバー６が閉姿勢と判断する。図５に示すように、原稿押さえカバー６が閉姿勢であれば、搬送原稿読取領域２０Ｌは搬送ローラ３５等に覆われており、また、プラテンガラス２０の全域が原稿押さえカバー６に覆われているので、第１の基準部材５３付近へ外光が進入することがない。したがって、第１の基準部材５３に対して光量調整を行えば、標準の光量調整値や前回の光量調整値とほぼ同じ値が得られる。したがって、光源４２や受光素子４４の安定性等を考慮しても、標準の光量調整値等から一定の範囲内の値が得られる。
【００８２】
一方、スキャナ部２をＦＢＳとして用いる場合に、ブック原稿等の厚みのある原稿等をプラテンガラス２０に載置すれば、原稿押さえカバー６を完全に閉じることができない。また、プラテンガラス２０の静止原稿読取領域２０Ｒよりも大きなサイズの原稿の一部を読み取る場合等には、読取箇所を確認するために原稿押さえカバー６を敢えて閉じずに画像読取りを行うことも想定される。図１０に示すように、原稿押さえカバー６が開姿勢であれば、搬送原稿読取領域２０Ｌは露出された状態なので、搬送原稿読取領域２０Ｌから外光Ｌが原稿載置台４の内部へ進入する。
【００８３】
この外光Ｌは、原稿載置台４の内部の部材に反射したり、プラテンガラス２０の厚み内を反射しながら、第１の基準部材５３に入射したり、位置Ｐ１にあるＣＩＳユニット４０に入射する。特に、ＣＩＳユニット４０は、図２に示したように、受光素子４４が上側を向いて配設されているので、ＣＩＳユニット４０の上面から内部へ進入した外光Ｌが受光素子４４の出力に影響しやすい。したがって、外光Ｌが進入した状態で第１の基準部材５３に対して光量調整を行えば、光源４２から照射される光量が、その外光Ｌの光量分だけ小さな光量であっても、受光素子４４は反射光量と外光Ｌとの和の光量を受光するので、所望の出力値が得られる。その結果、光源４２は、外光の分だけ小さな光量調整値とされる。よって、仮に係数を０．８とすれば、原稿押さえカバー６が閉じられて光量調整を行った場合に得られる光量調整値の８割未満であれば、制御部５５は、原稿押さえカバー６が開姿勢と判断する。
【００８４】
得られた光量調整値を予め定められた閾値とを比較した結果、閾値未満であれば、制御部５５は、キャリッジ４１を位置Ｐ２へ移動させる（Ｓ４）。この位置Ｐ２は、図７に示すように、第２の基準部材５４に対応する位置である。第２の基準部材５４は、図に示すように、原稿載置台４の筐体３９がプラテンガラス２０を露出するために開口した開口周縁から十分に奥側に設けられており、第２の基準部材５４の上側及び両側は筐体３９により覆われている。したがって、第２の基準部材に対しては外光Ｌの影響を受けることなく光量調整を行うことができ、外光Ｌの影響がない適正な光量調整値を得ることができる（Ｓ５）。
【００８５】
そして、第２の基準部材５４に対して得られた光量調整値を用いて、第２の基準部材５４に対して白レベルデータ及び黒レベルデータを取得する（Ｓ６，Ｓ７）。詳細に説明するに、ＣＩＳユニット４０の光源４２から上記光量調整値で第２の基準部材５４に光を照射する。そして、第２の基準部材５４からの反射光を受光素子４４で電気信号に変換し、その出力を白レベルデータとしてＲＡＭ５８に記憶させる。この白レベルデータの取得は、第２の基準部材５４に対して複数回行って、その平均を用いるようにしても、また、第２の基準部材５４の範囲内でキャリッジ４１を移動させながら行うようにしてもよい。
【００８６】
白レベルデータを取得した後、制御部５５は、光源４２を消灯した状態で第２の基準部材５４に対して得られた受光素子４４の出力を黒レベルデータとしてＲＡＭ５８に記憶させる。この黒レベルデータの取得も、前述と同様に複数回行っても、第２の基準部材５４の範囲内でキャリッジ４１を移動させながら行ってもよい。また、白レベルデータの取得と黒レベルデータの取得とは順序が逆であってもよい。このようにして得られた白レベルデータ及び黒レベルデータは、画像読取りにおけるシェーディング補正の基準データとして用いられる。
【００８７】
続いて、制御部５５は、キャリッジ４１を静止原稿読取領域２０Ｒにおける読取開始位置である位置Ｐ３へ移動させる（Ｓ８）。そして、第２基準部材５４に対して得られた光量調整値で光源４２から光を照射しながらキャリッジ４１をプラテンガラス２０に沿って移動させる。図１０に示すように、静止原稿読取領域２０Ｒの読取開始位置Ｐ３は、搬送原稿読取領域２０Ｌから十分に離れているので、外光Ｌの影響を受け難い。したがって、第２基準部材５４に対して得られた光量調整値が光源４２から原稿Ｇに対して照射する光の適正光量となる。
【００８８】
そして、キャリッジ４１の移動の間にＣＩＳユニット４０によりプラテンガラス２０の静止原稿読取領域２０Ｒに載置された原稿Ｇからの反射光を受光素子４４で順次電気信号に変換することにより、原稿Ｇの画像データを得る（Ｓ９）。ＣＩＳユニット４０から出力される画像データはＲＡＭ５８に格納されて、上記白レベルデータ及び黒レベルデータに基づいてシェーディング補正がなされる。この白レベルデータ及び黒レベルデータも第２の基準部材５４に対して得たものであるから、外光Ｌの影響のない適正なシェーディング補正がなされる。また、制御部５５は、画像読取りを終えれば、キャリッジ４１をホームポジションＨＰへ戻して待機状態となる（Ｓ１０）。
【００８９】
一方、得られた光量調整値を予め定められた閾値とを比較した結果、閾値以上であれば、第１の基準部材５３に対して白レベルデータ及び黒レベルデータを取得する（Ｓ６，Ｓ７）。詳細に説明するに、制御部５５は、ＣＲモータ６４を駆動させてキャリッジ４１を位置Ｐ１へ移動し、ＣＩＳユニット４０の光源４２から、第１の基準部材５３に対して得られた光量調整値で第１基準部材５３の左端の領域５３Ａに光を照射する。そして、該領域５３Ａからの反射光を受光素子４４で電気信号に変換し、その出力を白レベルデータとしてＲＡＭ５８に記憶させる。この白レベルデータの取得は、領域５３Ａに対して複数回行って、その平均を用いるようにしても、また、領域５３Ａの範囲内でキャリッジ４１を移動させながら行うようにしてもよい。
【００９０】
白レベルデータを取得した後、制御部５５は、ＣＲモータ５４を駆動させてキャリッジ４１を第１の基準部材５３の中央の領域５３Ｂに対応する位置へ移動させる。そして、光源４２を消灯した状態で得られた受光素子４４の出力を黒レベルデータとしてＲＡＭ５８に記憶させる。この黒レベルデータの取得も、前述と同様に複数回行っても、領域５３Ｂの範囲内でキャリッジ４１を移動させながら行ってもよい。また、白レベルデータの取得と黒レベルデータの取得とは順序が逆であってもよい。このようにして得られた白レベルデータ及び黒レベルデータは、画像読取りにおけるシェーディング補正の基準データとして用いられる。このように、原稿押さえカバー６が閉じられて外光Ｌの影響がない場合には、ホームポジションＨＰ及び画像読取開始位置に近い第１の基準部材５３に対して、光源４２の光量調整、並びに白レベルデータ及び黒レベルデータの取得を行うことにより、キャリッジ４１を移動させる距離を短くして、画像読取りに必要な時間が短縮される。
【００９１】
続いて、制御部５５は、キャリッジ４１を静止原稿読取領域２０Ｒにおける読取開始位置である位置Ｐ３へ移動させる（Ｓ８）。そして、第１基準部材５３に対して得られた光量調整値で光源４２から光を照射しながらキャリッジ４１をプラテンガラス２０に沿って移動させ、その移動の間にＣＩＳユニット４０によりプラテンガラス２０の静止原稿読取領域２０Ｒに載置された原稿の画像を読み取る（Ｓ９）。ＣＩＳユニット４０から出力される画像データはＲＡＭ５８に格納されて、上記白レベルデータ及び黒レベルデータに基づいてシェーディング補正がなされる。また、制御部５５は、画像読取りを終えれば、キャリッジ４１をホームポジションＨＰへ戻して待機状態となる（Ｓ１０）。
【００９２】
このように、本複合機１のスキャナ部２によれば、原稿押さえカバー６が原稿載置台４に対して閉じられている場合には、第１の基準部材５３に対してＣＩＳユニット４０の出力調整を行い、原稿押さえカバー６が原稿載置台４に対して開かれている場合には、第２の基準部材５４に対して出力調整を行うこととしたので、原稿押さえカバー６が開かれていても、外光Ｌの影響を受けることなくＣＩＳユニット４０の出力調整を的確に行うことができる。これにより、出力調整時に外光Ｌの影響を受けて読取画像が劣化することを防止できる。
【００９３】
なお、本実施の形態では、ＣＩＳユニット４０の光源４２を第１の基準部材５３に対して光量調整し、得られた光量調整値を閾値と比較することにより、外光Ｌの有無、すなわち原稿押さえカバー６の開閉を判断するものとしたが、ＣＩＳユニット４０を同様に本発明に係る開閉検知手段として、別の動作により得られたＣＩＳユニット４０の読取値に基づいて原稿押さえカバー６の開閉を判断することもできる。具体的には、ＣＩＳユニット４０の光源４２を消灯して上記第１の基準部材５３を読み取る。外光Ｌが原稿載置台４の内部に進入していなければ、光源４２を消灯して得られる読取値は、黒レベルデータに近い値となるが、外光Ｌが進入していれば、その外光Ｌを受光素子４４が読み取るので黒レベルデータより高い読取値が得られる。したがって、該読取値に対して適当な閾値を設定し、得られた読取値が閾値以上である場合に、原稿押さえカバー６が開姿勢と判断することができる。
【００９４】
また、さらに別の動作として、ＣＩＳユニット４０の光源４２を消灯して上記第１の基準部材５３の左端の領域５３Ａと中央の領域５３Ｂとを読み取り、これら読取値の差から原稿押さえカバー６の開閉を判断することができる。外光Ｌが原稿載置台４の内部に進入していなければ、光源４２を消灯して得られる読取値は、白色の領域５３Ａであっても黒色の領域５３Ｂであっても、双方の読取値とも黒レベルデータに近い同等の値となるが、外光Ｌが進入していれば、その反射率の差により、双方の読取値に差が生じる。したがって、この読取値の差に対して適当な閾値を設定し、得られた読取値の差が閾値以上である場合に、原稿押さえカバー６が開姿勢と判断することができる。
【００９５】
また、ＣＩＳユニット４０を本発明に係る開閉検知手段とせずに、マグネットセンサや光学センサを用いて原稿押さえカバー６の開閉を直接検知することとしてもよい。
【００９６】
また、本実施の形態では、本発明に係る画像読取手段として密着型イメージセンサであるＣＩＳユニット４０を用いた場合について説明したが、本発明に係る画像読取手段は、密着型イメージセンサの他、例えば縮小光学系のＣＣＤイメージセンサを用いることもできる。
【００９７】
また、本発明による画像読取手段の出力調整は、必ずしも光源の光量調整、並びに白レベルデータ及び黒レベルデータの取得のすべてを行うことを意味するものではなく、例えば、光源の光量調整を行うことなく、一定の光量でＣＩＳイメージセンサやＣＣＤイメージセンサ等の白レベルデータ又は黒レベルデータを取得するものをも含む概念である。白レベルデータや黒レベルデータを取得する場合に外光が影響すれば、その外光分だけ大きい出力を白レベル又は黒レベルの基準としてシェーディング補正を行うこととなるので、外光の影響を受けない原稿Ｇの画像を読み取ってシェーディング補正を行うと、読取画像が暗くコントラストの低いものとなる。したがって、白レベルデータ又は黒レベルデータを取得に際して本発明を適用することにより、外光の影響を受けない適正なシェーディング補正の基準データを取得することができる。
【図面の簡単な説明】
【００９８】
【図１】図１は、本発明の実施の形態に係る複合機１の外観構成を示す斜視図である。
【図２】図２は、ＡＤＦ５の主要構成を示すＡ−Ａ断面図である。
【図３】図３は、原稿載置台４の構成を示す平面図である。
【図４】図４は、キャリッジ４１の構成を示す原稿載置台４の縦断面図である。
【図５】図５は、第１の基準部材５３付近の構成を示す拡大断面図である。
【図６】図６は、第１の基準部材５３の構成を示す平面図である。
【図７】図７は、第２の基準部材５４付近の構成を示す拡大断面図である。
【図８】図８は、複合機１の制御部５５の構成を示すブロック図である。
【図９】図９は、ＣＩＳユニット４０の出力調整を示すフローチャートである。
【図１０】図１０は、原稿押さえカバー６が開いた状態の第１の基準部材５３付近の構成を示す拡大断面図である。
【図１１】図１１は、従来の画像読取装置９０の概略構成を示す斜視図である。
【符号の説明】
【００９９】
１・・・複合機（画像読取装置）
４・・・原稿載置台
５・・・ＡＤＦ（自動原稿搬送機構）
６・・・原稿押さえ部材
２０・・・プラテンガラス（透過部材）
２０Ｌ・・・搬送原稿読取領域
２０Ｒ・・・静止原稿読取領域
２２・・・給紙トレイ
２３・・・排紙トレイ
４０・・・ＣＩＳユニット（画像読取手段、密着型イメージセンサ、開閉検知手段）
４１・・・キャリッジ（走査手段）
４２・・・光源
５１・・・区画部材
５２・・・ガイド面
５３・・・第１の基準部材
５４・・・第２の基準部材
５５・・・制御部（制御手段）
Ｇ・・・原稿
【図１】
2006311175.tif 000003
【図２】
2006311175.tif 000004
【図３】
2006311175.tif 000005
【図４】
2006311175.tif 000006
【図５】
2006311175.tif 000007
【図６】
2006311175.tif 000008
【図７】
2006311175.tif 000009
【図８】
2006311175.tif 000010
【図９】
2006311175.tif 000011
【図１０】
2006311175.tif 000012
【図１１】
2006311175.tif 000013